(57)【要約】【課題】床面との間の隙間高さの異るドアに対しても、同じドアロック用落しを、そのまま取り付けて使用できるようにする。【解決手段】ロック棒１１は、取付プレート１０に上下動可能に連結するスライドバー１９と、スライドバーの連結パイプ部１９ｂに基端部２０ａを嵌合して軸状に連結する係合ピン２０の２体からなる。スライドバーには、連結パイプ部の外周に軸方向にネジ挿通穴２５・２６を設ける。係合ピンには、その基端部にそれと直交方向に貫通する雌ねじ穴３０を設ける。そして、ロック棒は、係合ピンをスライドバーに連結するときに、ドアと床面との隙間高さに応じて、雌ねじ穴と連通する２つのネジ挿通穴のいずれかを選択して互いの嵌め合い高さ位置を調節し、その嵌め合い高さ位置に応じてスライドバーに対し係合ピンが突出する長さが長短２段に調整される構成になっている。【選択図】          図１
2005232927.tif 000002
【特許請求の範囲】
【請求項１】
ドアの下縁側に固定する取付プレートに、ロック棒を、その下端部を床面に向けてロック解除高さ位置とロック高さ位置に上下動可能に取り付け、ドアロック時に、ロック高さ位置へ前記ロック棒を下降させると、その下端部が床面側に設置した受け穴に係合してドアの開閉を規制するドアロック用落しにおいて、
前記ロック棒を、前記取付プレートに上下動可能に連結するスライドバーと、該スライドバーの下端部に基端部を凹凸の嵌め合いで連結する係合ピンとで軸状に構成し、
該係合ピンと前記スライドバーとは、ドアと床面の隙間の高さに応じて、互いの嵌め合い高さ位置を調節して該スライドバーに対する前記係合ピンの突出長さを調整可能に締結してなることを特徴とする、ドアロック用落し。
【請求項２】
前記ロック棒は、前記スライドバーの下端部をパイプ状に形成し、その下端部外周に軸方向に複数のネジ挿通穴を設ける一方、前記係合ピンの基端部にそれと直交方向に貫通する雌ねじ穴を設け、該係合ピンの基端部を前記スライドバーの下端部に嵌合して軸状に連結した構成とし、
該係合ピンと前記スライドバーとは、ドアと床面との隙間高さに応じて、前記雌ねじ穴と前記ネジ挿通穴の１つが連通する嵌め合い高さ位置を調節して前記スライドバーに対する前記係合ピンの突出長さを多段に調整可能とし、その調整した嵌め合い高さ位置でねじ止めしてなることを特徴とする、請求項１に記載のドアロック用落し。
【請求項３】
前記ロック棒は、前記スライドバーの下端部をパイプ状に形成し、その下端部の内周面に雌ねじを螺刻する一方、前記係合ピンの基端部外周に雄ねじを螺刻し、その係合ピンの基端部を前記スライドバーの下端部内に螺合して軸状に連結した構成とし、
前記係合ピンと前記スライドバーとは、ドアと床面との隙間高さに応じて、前記係合ピンの前記スライドバーに対する螺合深さを調節して前記スライドバーに対する前記係合ピンの突出長さを微調整可能とし、その調整した螺合深さに応じた嵌め合い高さ位置で締結してなることを特徴とする、請求項１に記載のドアロック用落し。
【発明の詳細な説明】
【技術分野】
【０００１】
本発明は、開閉操作を行う頻度の少ないドアに取り付けて使用するドアロック具で、ドアロック時にロック棒を下降させ、その下端部を床面側に設置した受け穴に係合してドアの開閉を規制するドアロック用落しに関する。
【背景技術】
【０００２】
従来、この種のドアロック用落しの中に、図１１に示すように、たとえば開き戸式ドア１に対し、その木口面１ａの下縁寄りコーナーに取り付けて使用するために、細長いＬ状の取付プレート２を備え、その取付プレート２にロック棒３を上下動可能に連結した構成にしたものがある。取付プレート２は、図中下端の短い横板部２ａに軸挿通穴４を設けると共に、縦板部２ｂの上端側に一部を凹ませて横板部２ａ側に張り出したガイド凸面２ｃを形成し、そのガイド凸面２ｃに縦長矩形の移動規制穴５が設けられている。一方、ロック棒３は、細長な支持板部３ａと図中下端側の係合軸部３ｂとで、一定長さの一体軸状に形成されている。図中符号６は、ロック棒３の支持板部３ａに固着した操作摘み片で、これを移動規制穴５に係合させてロック棒３を取付プレート２に連結している。図中符号７は、付勢ばねで、そのばね付勢力で支持板部３ａをガイド凸面２ｃに押し付けた状態で、ロック棒３を移動規制穴５内のロック解除高さ位置とロック高さ位置間で上下動可能に取付プレート１０に取り付けている。そして、斯かるドアロック用落しのロック棒側を、木口面１ａにあけた取付凹部内に嵌め込み、取付プレート２をドア１にねじ止めしている。
【０００３】
従来のドアロック用落しを使ってドア１をロックするときは、操作摘み片６を摘んで、ロック棒３を下降させ、先端の係合軸部３ｂを軸挿通穴４を通して床面８側に埋設したロック棒受け９の受け穴９ａに係合してドア１の開閉を規制している。
【発明の開示】
【発明が解決しようとする課題】
【０００４】
ところで、昨今、住宅の建材や家具から発散されるホルムアルデヒド等による室内の空気汚染が原因で、シックハウス症候群などの健康障害が問題となっている。そのため、最近の住宅などでは、室内の換気に配慮し、ドア１と床面８との間にできる隙間（ちり）を比較的大きくとってドア１を設置している場合がある。
【０００５】
ところが、従来のドアロック用落しは、一定長さのロック棒３を備えた構成であるため、図中鎖線で示すように床面８との間に大きな隙間をあけたドア１に、そのまま取り付けようとする場合、ロック棒３をロック高さ位置まで下降させても、係合軸部３ｂが受け穴９ａに届かないので、とても使用することができない。従って、そのように床面８との間に隙間を大きくとったドア１に取り付けて使用できるようにするには、ドア１と床面８との隙間高さｈに合わせて、その分だけ長い専用のロック棒を備えた各種のドアロック用落しを、別途に用意するほかないとう課題があった。
【０００６】
そこで、本発明の目的は、床面との間の隙間高さの異るドアに対しても、同じドアロック用落しを、そのまま取り付けて使用できるようにすることにある。
【課題を解決するための手段】
【０００７】
上記した発明の目的を達成すべく、請求項１に記載の発明は、たとえば以下に示す図示実施の形態のとおり、ドアＤの下縁側に固定する取付プレート１０に、ロック棒１１を、その下端部を床面Ｆに向けてロック解除高さ位置とロック高さ位置に上下動可能に取り付け、ドアロック時に、ロック高さ位置へ前記ロック棒１１を下降させると、その下端部が床面側に設置した受け穴３７ａに係合してドアＤの開閉を規制するドアロック用落しＡ・Ａ´において、前記ロック棒１１を、前記取付プレート１０に上下動可能に連結するスライドバー１９と、該スライドバー１９の下端部に基端部２０ａを凹凸の嵌め合いで連結する係合ピン２０とで軸状に構成し、該係合ピン２０と前記スライドバー１９とは、ドアＤと床面Ｆの隙間の高さｈ１・ｈ２に応じて、互いの嵌め合い高さ位置を調節して該スライドバー１９に対する前記係合ピン２０の突出長さを調整可能に締結してなることを特徴とする。
【０００８】
請求項２に記載の発明は、請求項１に記載のドアロック用落しＡにおいて、たとえば以下に示す図示実施の形態のとおり、前記ロック棒１１は、前記スライドバー１９の下端部１９ｂをパイプ状に形成し、その下端部外周に軸方向に複数のネジ挿通穴２５・２６を設ける一方、前記係合ピン２０の基端部２０ａにそれと直交方向に貫通する雌ねじ穴３０を設け、該係合ピン２０の基端部２０ａを前記スライドバー１９の下端部１９ｂに嵌合して軸状に連結した構成とし、該係合ピン２０と前記スライドバー１９とは、ドアＤと床面Ｆとの隙間高さｈ１・ｈ２に応じて、前記雌ねじ穴３０と前記ネジ挿通穴２５・２６の１つが連通する嵌め合い高さ位置を調節して前記スライドバー１９に対する前記係合ピン２０の突出長さを多段に調整可能とし、その調整した嵌め合い高さ位置でねじ止めしてなることを特徴とする。
【０００９】
請求項３に記載の発明は、請求項１に記載のドアロック用落しＡ´において、たとえば以下に示す図示実施の形態のとおり、前記ロック棒１１は、前記スライドバー１９の下端部１９ｂをパイプ状に形成し、その下端部１９ｂの内周面に雌ねじ１９ｄを螺刻する一方、前記係合ピン２０の基端部外周に雄ねじ２０ｄを螺刻し、その係合ピン２０の基端部２０ｂを前記スライドバー１９の下端部１９ｂ内に螺合して軸状に連結した構成とし、前記係合ピン２０と前記スライドバー１９とは、ドアＤと床面Ｆとの隙間高さｈ１・ｈ２に応じて、前記係合ピン２０の前記スライドバー１９に対する螺合深さを調節して前記スライドバー１９に対する前記係合ピン２０の突出長さを微調整可能とし、その調整した螺合深さに応じた嵌め合い高さ位置で締結してなることを特徴とする。
【発明の効果】
【００１０】
請求項１に記載の発明によれば、取付現場にて、ドアと床面との隙間高さに応じて係合ピンの突出長さを調整し、その係合ピンをスライドバーに連結してロック棒１１を組み立てることにより、床面との間の隙間高さの異るドアに対しても、同じドアロック用落しを、そのまま取り付けて使用することができる。
【００１１】
請求項２に記載の発明によれば、ドアと床面との隙間高さに応じて、スライドバーに有するネジ挿通穴の数だけ、多段に係合ピンの突出長さを調整することができ、これにより、床面との間の隙間高さの異るドアに対しても、その都度、隙間高さの違いに的確に対応し、同じドアロック用落しを、そのまま取り付けて使用することができる。
【００１２】
請求項３に記載の発明によれば、ドアと床面との隙間高さに応じて、係合ピンのスライドバーに対する螺合深さを変えるだけで、係合ピンの突出長さを微調整することができ、これにより、床面との間の隙間高さの異るドアに対しても、隙間高さの微妙な違いに正確に対応し、同じドアロック用落しを、そのまま取り付けて使用することができる。
【発明を実施するための最良の形態】
【００１３】
以下、図面を参照しつつ、本発明の実施の形態について説明する。
【００１４】
図１は、本発明によるドアロック用落しを示す分解斜視図、図２はその組立斜視図である。図中符号Ａで本発明の一例であるドアロック用落しを示す。図示ドアロック用落しＡは、いずれも金属製の、細長板状の取付プレート１０と、取付プレート１０に連結するロック棒１１と、細長い板バネの付勢ばね１２を備えた構成になっている。
【００１５】
取付プレート１０は、一例として、親子開き戸式ドアの木口面の下縁寄りコーナーに取り付けて使用するために、Ｌ状に曲げ成形してなり、図中下端の横板部１０ａに軸挿通穴１４を設けると共に、縦板部１０ｂの上端側に一部を凹ませて横板部１０ａ側に張り出したガイド凸面１０ｃを形成してなる。ガイド凸面１０ｃには、ロック棒１１が上下に移動するストロークを決める縦長矩形な移動規制穴１５が設けられている。
【００１６】
ロック棒１１は、スライドバー１９と、スライドバー１９に連結する係合ピン２０と、操作摘み片２１を用いて組み立ててなる。スライドバー１９は、細長板状の支持板部１９ａと、その図中下端部に形成される連結パイプ部１９ｂとに一体に成形してなる。支持板部１９ａには、図中上端寄りに操作摘み片２１の差込み小穴２２を設け、下端寄り片面に、上下端縁に丸みを付けた凸状の掛止段部１９ｃを形成してなる。連結パイプ部１９ｂには、後述するドアＤと床面Ｆとの隙間高さｈ１・ｈ２を考慮し、軸方向上下に２箇所止めネジ２４のネジ挿通穴２５・２６を設けてなる。係合ピン２０は、丸棒を用い、図中上側の基端部２０ａを、スライドバー１９における連結パイプ部１９ｂの口径に合わせて一段細径に成形し、その基端部２０ａの突端に、雌ねじ穴３０を径方向に設けてなる。操作摘み片２１は、幅広な摘み部２１ａと、取付プレート１０の移動規制穴１５に係合可能に一段幅狭に形成した係合段部２１ｂと、先端の差込み凸部２１ｃとからなり、差込み凸部２１ｃを差込み小穴２２に差し込んでスライドバー１９に固着している。
【００１７】
そこで、このロック棒１１は、スライドバー１９に係合ピン２０を連結するとき、係合ピン２０の基端部２０ａをスライドバー１９の連結パイプ部１９ｂに嵌合し、そのネジ挿通穴２５・２６のいずれかと雌ねじ穴３０を連通させ、その連通するネジ挿通穴を通して雌ねじ穴３０に止めネジ２４を捩じ込んで係合ピン２０をスライドバー１９に締結することにより、一本の軸に組み立てられる。従って、ロック棒１１は、係合ピン２０をスライドバー１９に連結するときに、後述のドアＤと床面Ｆとの隙間高さｈ１・ｈ２に応じて、雌ねじ穴３０と連通するネジ挿通穴２５・２６のいずれかを選択して互いの嵌め合い高さ位置を調節し、その嵌め合い高さ位置に応じてスライドバー１９に対し係合ピン２０が突出する長さが長短２段に調整されるようになっている。
【００１８】
なお、付勢ばね１２は、図中上端寄りに移動規制穴１５と対応する細長矩形の逃げ穴２９を設け、下端部に円弧状に曲げた押当て板部１２ａを形成してなる。逃げ穴２９には、その図中上下の穴縁に、そこを一部曲げ起こして掛止め用爪２９ａ・２９ａが設けられている。
【００１９】
以上の構成部品を備えたドアロック用落しＡは、この逃げ穴２９の掛止め用爪２９ａ・２９ａを移動規制穴１５の上下穴縁に掛け止めて、付勢ばね１２を、その押当て板部１２ａの凸面側を外向きにして取付プレート１０のガイド凸面１０ｃに装着する。そして、ロック棒１１は、この付勢ばね１２にスライドバー１９を重ねて操作摘み片２１の係合段部２１ｂを移動規制穴１５に係合し、支持板部１９ａを付勢ばね１２のばね付勢力でガイド凸面１０ｃｂに押し付けた状態で、スライドバー１９を、移動規制穴１５内のロック解除高さ位置とロック高さ位置間で上下動可能に、図３に示すように取付プレート１０に取り付けて垂下してなる。
【００２０】
さて、本発明において、図示ドアロック用落しＡをドアに取り付けて使用する場合は、取付現場にて、ドアと床面との間の隙間を確認してから、その隙間高さに応じ、係合ピン２０の突出長さを調整してスライドバー１９に係合ピン２０を連結し、ロック棒１１を組み立てる。そこで、この場合、図４（Ａ）に示すように、ドアＤと床面Ｆ間の隙間が僅かなときは、雌ねじ穴３０が上段のネジ挿通穴２５と連通する挿入深さまで係合ピン２０を挿入して基端部２０ａをスライドバー１９の連結パイプ部１９ｂに嵌合し、ロック棒１１を、僅かな隙間高さｈ１に応じて、スライドバー１９に対する係合ピン２０の突出長さを短めに調整する。そして、この嵌め合い高さ位置でネジ挿通穴２５を通して止めネジ２４を雌ねじ穴３０に捩じ込んで係合ピン２０をスライドバー１９に締結する。
【００２１】
それから、図示ドアロック用落しＡを、たとえば図５に示すような親子開き戸式ドアＤの親扉３５に取り付けて使用する場合は、その木口面３５ａの下縁寄りコーナーに固定する。そこときは、ドアロック用落しＡのロック棒１１側を、木口面３５ａに設置された取付凹部３６内に嵌め込んで取付プレート１０の両端をねじ止めする。
【００２２】
そこで、ドアロック用落しＡでドアＤをロックするときは、操作摘み片２１の摘み部２１ａを摘んで、ロック棒１１を、係合段部２１ｂが移動規制穴１５の下穴縁に当たるロック高さ位置まで下降させ、図４（Ｂ）に示すように、係合ピン２０の先端軸部２０ｂを、軸挿通穴１４を通して床面Ｆ側に埋設したロック棒受け３７の受け穴３７ａに係合して親扉３５をロックし、外側からのドアＤの開閉を規制する。ロック棒１１が図示ロック高さ位置にあるときは、付勢ばね１２の押当て板部１２ａがスライドバー１９上の掛止段部１９ｃの下端縁に係止し、ばね付勢力でロック棒１１をロック高さ位置のまま位置決め保持する。
【００２３】
なお、ドアＤを開閉する必要があるため、ドアＤのロックを解除するときは、ロック棒１１を、反対に操作摘み片２１の係合段部２１ｂが移動規制穴１５の上穴縁に当たるロック解除高さ位置まで上昇させて、図４（Ａ）に示ように、係合ピン２０をロック棒受け３７の受け穴３７ａから離隔させる。そのとき、付勢ばね１２の押当て板部１２ａがスライドバー１９上の掛止段部１９ｃの上端縁に係止し、ロック棒１１をロック解除高さ位置に位置決め保持する。
【００２４】
一方、取付現場にて、ドアＤと床面Ｆとの間の隙間を確認したとき、図６（Ａ）に示すように、隙間高さｈ２が大きい場合は、同様にドアロック用落しＡを親扉３５に取り付ける前に、隙間高さｈ２に応じて、係合ピン２０の突出長さを調整してスライドバー１９に係合ピン２０を連結し、ロック棒１１を組み立てる。このときは、係合ピン２０の挿入を、雌ねじ穴３０が下段のネジ挿通穴２６と連通する浅めの挿入深さに止めて、係合ピン２０の基端部２０ａをスライドバー１９の連結パイプ部１９ｂに嵌合し、隙間高さｈ２に応じて、スライドバー１９に対する係合ピン２０の突出長さを一段長く調整する。そして、この嵌め合い高さ位置で、今度はネジ挿通穴２６を通して止めネジ２４を雌ねじ穴３０に捩じ込んで係合ピン２０をスライドバー１９に締結する。
【００２５】
それから、同じドアロック用落しＡをドアＤの親扉３５に取り付けて後、ドアＤをロックするときは、ロック棒１１を、係合段部２１ｂが移動規制穴１５の下穴縁に当たるロック高さ位置まで下降させれば、図６（Ｂ）に示すように、係合ピン２０は、先端軸部２０ｂがロック棒受け３７の受け穴３７ａに係合して親扉３５をロックし、外側からのドアＤの開閉を規制することができる。
【００２６】
なお、図示ドアロック用落しＡに備えるロック棒１１は、スライドバー１９の連結パイプ部１９ｂに、軸方向上下に２箇所ネジ挿通穴２５・２６を設けた構成であった。しかし、本発明では、ネジ挿通穴を３つ以上設け、そのねじ止め位置の数だけ、スライドバーに対する係合ピンの突出長さを微調整可能とし、ドアＤと床面Ｆとの隙間高さの違いに正確に対応させる構成にすることもできる。
【００２７】
ところで、上記ドアロック用落しＡは、ロック棒１１を、係合ピン２０のスライドバー１９に対するねじ止め高さ位置に応じて、互いの嵌め合い高さ位置を調節して係合ピン２０の突出長さを調整した。しかし、本発明は、それに代えて、図７および図８に示すようにロック棒１１を構成してスライドバー１９に対する係合ピン２０の突出長さを微調整可能とし、これによりドアと床面との隙間高さの違いに正確に対応させることもできる。なお、以下の図示他例では、以上の図示実施例中の構成と同じ構成部品には、同一の符号を付して説明する。
【００２８】
図示他例のドアロック用落しＡ´において、ロック棒１１は、スライドバー１９に有する連結パイプ部１９ｂの内周面に雌ねじ１９ｄを螺刻し、外周に止めネジ４０のネジ穴４１を設けた構成になっている。一方、係合ピン２０は、同様に丸棒を用いて形成するが、特に図中上側の基端部２０ａを断面Ｄ形状に成形して外周の一部にフラットなネジ突当て面２０ｃを形成し、残りの外周面に雄ねじ２０ｄを螺刻した構成になっている。
【００２９】
そこで、ロック棒１１は、スライドバー１９に係合ピン２０を連結するとき、係合ピン２０の基端部２０ａをスライドバー１９の連結パイプ部１９ｂに螺合し、ネジ穴４１に止めネジ４０を捩じ込んで係合ピン２０をスライドバー１９に締結し、これにより一本の軸に組み立てられる。従って、ロック棒１１は、係合ピン２０をスライドバー１９に連結するときに、ドアＤと床面Ｆとの隙間高さｈ１・ｈ２に応じて、係合ピン２０のスライドバー１９に対する螺合深さ位置を調節すると、互いの嵌め合い高さ位置が決まり、その嵌め合い高さ位置に応じてスライドバー１９に対し係合ピン２０が突出する長さが微調整されるようになっている。
【００３０】
さて、図示ドアロック用落しＡ´は、前述したと同様にドアＤに取り付けて使用する場合、取付現場にて、ドアＤと床面Ｆとの間の隙間を確認してから、その隙間高さに応じ、係合ピン２０の突出長さを調整してスライドバー１９に係合ピン２０を連結し、ロック棒１１を組み立てる。
【００３１】
そこで、この場合、図９（Ａ）に示すように、ドアＤと床面Ｆとの間に隙間が僅かなときは、係合ピン２０の基端部２０ａをスライドバー１９の連結パイプ部１９ｂに奥深く螺合させ、ロック棒１１を、僅かな隙間高さｈ１に応じて、スライドバー１９に対する係合ピン２０の突出長さを短めに調整する。そして、その螺合深さに応じた嵌め合い高さ位置で、ネジ穴４０に止めネジ４１を捩じ込んでネジ突当て面２０ｃに押し当て、係合ピン２０をスライドバー１９に締結する。
【００３２】
そこで、ドアロック用落しＡ´でドアＤをロックするときは、操作摘み片２１の摘み部２１ａを摘んで、ロック棒１１を、前述したと同様に、係合段部２１ｂが移動規制穴１５の下穴縁に当たるロック高さ位置まで下降させ、図９（Ｂ）に示すように、係合ピン２０の先端軸部２０ｂを、軸挿通穴１４を通してロック棒受け３７の受け穴３７ａに係合して親扉３５をロックし、外側からのドアＤの開閉を規制する。
【００３３】
一方、取付現場にて、ドアＤと床面Ｆとの間の隙間を確認したとき、図１０（Ａ）に示すように、隙間高さｈ２が大きい場合は、同様に上記ドアロック用落しＡ´を親扉３５に取り付ける前に、隙間高さｈ２に応じて、係合ピン２０の突出長さを調整してスライドバー１９に係合ピン２０を連結し、ロック棒１１を組み立てる。このときは、係合ピン２０のスライドバー１９の連結パイプ部１９ｂに対する螺合深さを隙間高さｈ２に応じて浅くし、スライドバー１９に対する係合ピン２０の突出長さを一段長く調整する。そして、その螺合深さに応じた嵌め合い高さ位置で、ネジ穴４０に止めネジ４１を捩じ込んでネジ突当て面２０ｃに押し当て、係合ピン２０をスライドバー１９に締結する。
【００３４】
それから、同じドアロック用落しＡ´を親扉３５に取り付けて後、ドアＤをロックするときは、操作摘み片２１を摘んで、ロック棒１１を、係合段部２１ｂが移動規制穴１５の下穴縁に当たるロック高さ位置まで下降させれば、図１０（Ｂ）に示すように、係合ピン２０は、先端軸部２０ｂがロック棒受け３７の受け穴３７ａに係合して親扉３５をロックし、外側からのドアＤの開閉を規制することができる。
【００３５】
ところで、上述した図示実施の形態において、ロック棒１１は、スライドバー１９の連結パイプ部１９ｂに係合ピン２０の基端部２０ａを嵌合させて連結した構成にしたが、反対にスライドバー１９の下端部が軸状に形成する一方、係合ピンの基端部をパイプ状に形成し、両者を互いの嵌め合いで係合ピンの突出長さを調整可能に連結してロック棒を構成することもできる。
【００３６】
また、以上の図示実施の形態では、ドアロック用落しＡ・Ａ´を両開き戸式ドアに取り付けた場合の例を説明したが、本発明は、片開き戸式ドアの他、各種のドアに取り付けて適用し得るのは、勿論である。
【図面の簡単な説明】
【００３７】
【図１】本発明の一例であるドアロック用落しを示す分解斜視図である。
【図２】そのドアロック用落しの組立斜視図である。
【図３】ロック棒を長さ調整する前のドアロック用落しを示す斜視図である。
【図４】ドアと床面間の隙間が僅かな場合のロック棒の調整長さを示し、（Ａ）はロック棒がロック解除高さ位置、（Ｂ）はロック高さ位置にあるときの状態を示す説明断面図である。
【図５】ドアロック用落しを開き戸式ドアに取り付けた状態を示す斜視図である。
【図６】ドアと床面間の隙間が大きい場合のロック棒の調整長さを示し、（Ａ）はロック棒がロック解除高さ位置、（Ｂ）はロック高さ位置にあるときの状態を示す説明断面図である。
【図７】本発明の他例のドアロック用落しを示す縦断面図である。
【図８】そのドアロック用落しの分解斜視図である。
【図９】ドアと床面間の隙間が僅かな場合のロック棒の調整長さを示し、（Ａ）はロック棒がロック解除高さ位置、（Ｂ）はロック高さ位置にあるときの状態を示す側面図である。
【図１０】ドアと床面間の隙間が大きい場合のロック棒の調整長さを示し、（Ａ）はロック棒がロック解除高さ位置、（Ｂ）はロック高さ位置にあるときの状態を示す側面図である。
【図１１】従来のドアロック用落しを示す縦断面図である。
【符号の説明】
【００３８】
Ａ・Ａ´        ドアロック用落し
Ｄ              ドア
Ｆ              床面
ｈ１・ｈ２      隙間高さ
１０            取付プレート
１１            ロック棒
１２            付勢ばね
１９            スライドバー
１９ｂ          連結パイプ部
１９ｄ          雌ねじ
２０            係合ピン
２０ａ          係合ピンの基端部
２０ｄ          係合ピンの雄ねじ
２４・４０      止めネジ
２５・２６      ネジ挿通穴
３０            雌ねじ穴
【図１】
2005232927.tif 000003
【図２】
2005232927.tif 000004
【図３】
2005232927.tif 000005
【図４】
2005232927.tif 000006
【図５】
2005232927.tif 000007
【図６】
2005232927.tif 000008
【図７】
2005232927.tif 000009
【図８】
2005232927.tif 000010
【図９】
2005232927.tif 000011
【図１０】
2005232927.tif 000012
【図１１】
2005232927.tif 000013